(57)【特許請求の範囲】
【請求項１】
染料及び／又は干渉着色剤を含有する重合性混合物を、顔料粒子の形状のくぼみを備えた表面上に塗布し、この混合物を重合させ、次に重合された顔料粒子をこれらのくぼみから取出す、顔料粒子の製造方法において、（１）重合性混合物を、シートの表面上に存在するくぼみ中に導入するか、又は（２）旋回可能のロールの表面上にくぼみが存在し、かつ重合性混合物を、回転するロール又はロールバンドの表面上に存在するくぼみ中に連続的に導入し、光照射によって重合させることを特徴とする顔料粒子の製造方法。
【請求項２】
（２）の場合に、次に吸引−又はブラッシング装置によってロール又はロールバンドの表面から取出す、請求項１記載の方法。
【請求項３】
重合性混合物が、干渉着色剤としてコレステリック液晶組成物を含有する、請求項１又は２記載の方法。
【請求項４】
コレステリック液晶組成物が次の成分：
a）少なくとも１種のキラル液晶重合性モノマー又は
b）少なくとも１種のアキラル液晶重合性モノマー及びキラル化合物
を含有する、請求項３記載の方法。
【請求項５】
ａ）で挙げたキラル液晶重合性モノマーが一般式Ｉ：
0004036897.tif 000020
で示される構造を有し、式中置換基は次のものを表わす：
Ｚ１  重合性基又は重合性基を有する基、
Ｙ１、Ｙ２、Ｙ３  化学結合、酸素、硫黄、
−ＣＯ−Ｏ−、−Ｏ−ＣＯ−、−Ｏ−ＣＯ−Ｏ−、
−ＣＯ−Ｎ（Ｒ）−又は−Ｎ（Ｒ）−ＣＯ−、
Ａ１  スペーサー、
Ｍ１  中間形成基、
Ｘ    ｎ価のキラル基、
Ｒ    水素又はＣ１〜Ｃ４−アルキル、
ｎ    １〜６
ここで基Ｚ１、Ｙ１、Ｙ２、Ｙ３、Ａ１及びＭ１は同じか又は異なっていてもよい、請求項４記載の方法。
【請求項６】
ｂ）で挙げたアキラル液晶重合性モノマーが、一般式II：
Ｚ２−Ｙ４−Ａ２−Ｙ５−Ｍ２−Ｙ６−Ａ３−Ｙ７−Ｚ３  II
で示される構造を有し、式中置換基は次のものを表わす：
Ｚ２、Ｚ３  重合性基又は重合性基を有する基、
Ｙ４、Ｙ５、Ｙ６、Ｙ７  化学結合、酸素、硫黄、
−ＣＯ−Ｏ−、−Ｏ−ＣＯ−、−Ｏ−ＣＯ−Ｏ−、
−ＣＯ−Ｎ（Ｒ）−又は−Ｎ（Ｒ）−ＣＯ−、
Ａ２、Ａ３  スペーサー及び
Ｍ２        中間形成基
である、請求項４記載の方法。
【請求項７】
ｂ）で挙げたキラル化合物が一般式Ｉａ：
0004036897.tif 000021
に当り、式中Ｚ１、Ｙ１、Ｙ２、Ｙ３、Ａ１、Ｘ及びｎは前記のものを表わし、Ｍａは、少なくとも１個のヘテロ−又はイソ環状環系列を有する２価の基である、請求項４記載の方法。
【請求項８】
顔料粒子が薄板状構造を有する、請求項１から７までのいずれか１項記載の方法。
【請求項９】
請求項１から８までのいずれか１項記載の方法により得られる顔料粒子。
【請求項１０】
請求項９記載の顔料粒子を含有する被覆剤。
【請求項１１】
−所望の顔料粒子の形状のくぼみを有する表面を有する回転ロール又はロールバンド、
−染料及び／又は干渉着色剤を含有する重合性混合物を、ロール又はロールバンド上に塗布するための装置、
−重合性混合物を光照射するための装置、
−ロール又はロールバンドのくぼみから重合された顔料粒子を取出しかつ同顔料粒子を集めるための装置
を包含する、顔料粒子の製造装置。
【発明の詳細な説明】
本発明の対象は、染料（Farbstoff）又は干渉着色剤を含有する重合性混合物を、所望の顔料粒子の形状のくぼみを有する表面に塗布し、同混合物を重合させ、次に重合された顔料粒子をくぼみから取出すか、それとも同混合物を所望の顔料粒子の形状（この形状は公知のように印刷法によって予め付与される）で平滑表面上に塗布し、重合させ、次に重合された顔料粒子をその表面から取出すことを特徴とし、但し、オフセット印刷によるコレステリック液晶の配列構造を有する顔料粒子の製造を除く、顔料粒子の製造方法である。
さらに本発明の対象は、顔料粒子の製造装置、前記方法により得られる新規顔料粒子及び該新規顔料粒子を含有する被覆剤である。
顔料は通常、沈殿反応によるか又は比較的大きい着色体
0004036897.tif 000002
の機械的粉砕によって製造される。顔料製造のこれらの方法の場合には、種々の形状及び大きさを有する顔料粒子が生じる。
古いドイツ国特許出願第１９５３２４１９．６号明細書には、オフセット印刷によるコレステリック液晶の配列構造を有する顔料の製造方法が記載されている。この方法によると、均一の形状の顔料粒子を得ることができる。しかしこの明細書には他の印刷法による顔料の製造及び液晶顔料以外の顔料の製造に対する示唆は記載されていない。
高価な顔料ラッカー（Pigmentlack）の製造、特に干渉作用に基づく色彩効果（Farbeindruck）を有するようなものの場合には、一定の均一な形状及び大きさの顔料粒子を使用するのが有利である。
従って本発明は、一定の形状を有する顔料粒子の製造方法を見出すという課題を基礎にしている。
それにより、冒頭記載の方法が見出された。
本発明の方法の場合には、重合性混合物から出発する。この重合性混合物は例えば有機又は無機染料を含有することができる。これらの染料は、例えば発色団における重合性側鎖によってそれ自体重合性であるか、それとも染料を重合性結合剤と混合すると染料が重合体網状構造中に包含される。この場合染料の選択は顔料の爾後の使用に依存する。本発明方法では原則としてすべての染料を使用することができる。不溶であるかそれとも重合体網状構造中に共有的に組込まれうる染料の使用が有利である。
適当な染料を次に詳述する。
適当なアゾ染料（Azofarbstoff）は、特にモノ−又はジスアゾ染料、例えば、アニリンから又は複素環に窒素、酵素及び硫黄から成る群から選択されたヘテロ原子１〜３個を有しかつベンゾール−、チオフェン−、ピリジン−又はピリミジン環によってオルト位縮合されていてよい五員環の芳香族複素環式アミンから誘導される、ジアゾ成分を有するような染料である。
重要なモノ−又はジスアゾ染料は、例えばそのジアゾ成分が例えばアニリンから又はピロール−、フラン−、チオフェン−、ピラゾール−、イミダゾール−、オキサゾール−、イソオキサゾール−、チアゾール−、イソチアゾール−、トリアゾール−、オキサジアゾール−、チアジアゾール−、ベンゾフラン−、ベンゾチオフェン−、ベンゾイミダゾール−、ベンゾオキサゾール−、ベンゾチアゾール−、ベンゾイソチアゾール−、ピリドチオフェン−、ピリミドチオフェン−、チエノチオフェン−又はチエノチアゾール系列から選択される複素環式アミンから誘導されるようなものである。
特に、アニリンから又は、ピロール−、チオフェン−、ピラゾール−、チアゾール−、イソチアゾール−、トリアゾール−、チアジアゾール−、ベンゾチオフェン−、ベンゾチアゾール−、ベンゾイソチアゾール−、ピリドチオフェン−、ピリミドチオフェン−、チエノチオフェン−又はチエノチアゾール系列から選択される複素環式アミンから生じるようなジアゾ成分を挙げることができる。
また、アニリン−、アミノナフタリン−、アミノチアゾール−、ジアミノピリジン−又はヒドロキシピリドン系列から選択されるカップリング成分を有するアゾ染料も重要である。
モノアゾ染料はそれ自体公知であって、多数記載されており、例えばＫ．Ｖｅｎｋａｔａｒａｍａｎ“Ｔｈｅ  Ｃｈｅｍｉｓｔｒｙ  ｏｆ  Ｓｙｎｔｈｅｔｉｃ  Ｄｙｅｓ”、Ｖｏｌ．  ＶＩ、  Ａｃａｄｅｍｉｃ  Ｐｒｅｓｓ  Ｎｅｗ  Ｙｏｒｋ、Ｌｏｎｄｏｎ、１９７２又はヨーロッパ特許出願公開第２０１８９６号明細書に記載されている。
またアントラキノン−、クマリン−、メチン−及びアザメチン−ならびにキノフタロン染料を有利に使用することもできる。
適当なアントラキノン染料は、例えばＤ．Ｒ．Ｗａｒｉｎｇ、Ｇ．Ｈａｌｌａｓ“Ｔｈｅ  Ｃｈｅｍｉｓｔｒｙ  ａｎｄ  Ａｐｐｌｉｃａｔｉｏｎ  ｏｆ  Ｄｙｅｓ”、１０７〜１１８頁、Ｐｌｅｎｕｍ  Ｐｒｓｓ、Ｎｅｗ  Ｙｏｒｋ、Ｌｏｎｄｏｎ、１９９０に記載されている。
適当なクマリン染料は、例えば
0004036897.tif 000003
第４版、第１７巻、４６１９頁に記載されている。
適当なメチン−又はアザメチン染料は例えば米国特許第５０７９３６５号明細書及びＷＯ−Ａ−９２１９６８４に記載されている。
適当なキノフタロン染料は例えばヨーロッパ特許第８３５５３号明細書に記載されている。
重合とは、ポリマーのあらゆる種類の合成反応を意味し、従って連鎖反応としての付加重合、段階反応としての付加重合および縮合重合のことである。
該重合性混合物は、染料又は干渉着色剤の他に、ラッカ−塗料−又は印刷インキ工業で常用の種々の添加物、例えば重合性結合剤、反応希釈剤、分散助剤、ポリマー結合剤、充填剤、希釈剤ならびに重合開始剤を含有することができる。
特に適当な添加物は、ポリマー結合剤及び／又は重合によってポリマー結合剤中に移行されうるモノマー化合物である。このような薬剤としては、例えば有機溶剤中で可溶のポリエステル、セルロースエステル、ポリウレタン、シリコーンならびにポリエーテル−又はポリエステル改質シリコーンが適当である。特に好ましくは、セルロースアセトブチレートのようなセルロースエステルを使用する。
特に、架橋性反応基、例えばアクリル−、メタクリル−、α−クロロアクリル−、ビニル−、ビニルエーテル−、エポキシド−、シアネート−、イソシアネート−又はイソチオシアネート基を有するようなポリマー結合剤が適当である。また結合剤としてはモノマー結合剤、特にラッカー製造で公知の所謂反応性希釈剤、例えばヘキサンジオールジアクリレート又はビスフェノール−Ａ−ジアクリレートも適当である。このような物質の少量でも−大抵０．１〜１重量％でも−流動粘度の著しい改善をもたらす。同時にこれらの結合剤は硬化された顔料粒子の機械的特性に大きな影響を及ぼす。
溶剤又は希釈剤としては、例えばエステル、特に酢酸エステル、アルコール、ラクトン、脂肪族及び芳香族炭化水素、アミド、Ｎ−アルキルピロリドン、特にＮ−メチルピロリドンならびにテトラヒドロフラン及びジオキサンが適当である。また水も希釈剤として部分的に有利に使用することができる。
さらに重合性混合物は、熱的又は光学的に分解し、それによってラッカーの硬化を惹起する重合開始剤も含有することができる。この場合熱重合開始剤の中で、２０〜１８０℃、特に好ましくは５０〜８０℃で分解しかつ重合を開始するようなものが好ましい。光学的硬化のためには、原則としてすべての光重合開始剤を使用することができる。特に、十分な硬化
0004036897.tif 000004
を改良するためには、種々の開始剤の混合物も使用する。好適な光重合開始剤としては、例えばベンゾフェノン及びその誘導体、例えばアルキルベンゾフェノン、ハロゲンメチル化ベンゾフェノン又は４，４′−ビス（ジメチルアミノ）−ベンゾフェノンならびにベンゾイン及びベンゾインエーテル、例えばエチル−ベンゾインエーテル、ベンジルケタール、例えばベンジルジメチルケタール、アセトフェノン誘導体、例えばヒドロキシ−２−メチル−１−フェニルプロパン−１−オン及びヒドロキシヘキシルフェニルケトンを使用する。極めて好適なのはアシルホスフィンオキシド、例えば２，４，６−トリメチルベンゾイルジフェニルホスフィンオキシドである。光学的に活性化可能な重合開始剤の中では、好ましくは、黄変作用を示さないようなものを使用する。
また特に好ましい重合開始剤は、ボルアルキル化合物ならびにペルオキシド、ならびにジベンゾイルペルオキシド及びジ−ｔ−ブチル−ペルオキシドである。
本発明の顔料の使用目的に応じて重合性成分に対して有利には０．０１〜１５重量％の量で使用する光重合開始剤は、個々の物質として又は有利な相乗効果のためにまた相互に組合わせて使用することもできる。
陽イオン重合のためには、好ましくは、荷電構造を有する開始剤を使用する。特に、アシルホスフィンオキシド、例えば
0004036897.tif 000005
及びこれらの化合物の誘導体と部分的に組合わせて使用する物質を使用する。
また所望の場合には、重合性混合物に紫外線−及び天候作用に対する安定剤も添加することができる。このためには例えば、２，４−ジヒドロキシベンゾフェノンの誘導体、２−シアン−３，３−ジフェニルアクリレートの誘導体、２，２′，４，４′−テトラヒドロベンゾフェノンの誘導体、オルトヒドロキシフェニルベンゾトリアゾールの誘導体、サリチル酸エステル、オルトヒドロキシフェニル−Ｓ−トリアジン又は立体障害アミンが適当である。これらの化合物は単独で又は好ましくは混合物の形で使用してもよい。
充填材としては、例えばルチル、アナターゼ、白亜、タルク及び硫酸バリウムが適当である。
分散助剤は、重合性混合物の流動粘度及び個々の混合成分の混合性に決定的な影響を及ぼす。分散助剤としては、すべての市販の分散助剤を使用することができる。
好適な分散助剤は、コハク酸イミド−、−エステル−又は無水コハク酸構造に基づくようなものであり、これらは例えば古いドイツ国特許出願第１９５３２４１９．６号明細書に記載されている。
重合性混合物は、染料及び／又は干渉着色剤を含有することができる。このような干渉顔料の形状に対しては極めて高い要求が出されるので、本発明の方法はこのような顔料の製造のために好適である。
特に重要な干渉着色剤はコレステリック液晶組成物である。
コレステリック液晶相は、キラル液晶化合物によるか又は適当なキラルドーピング剤（Dotierstoff）を加えるアキラル液晶化合物によって形成されうる。
本発明の製造方法で使用されるコレステリック液晶組成物は好ましくは次の成分を含有する：
ａ）少なくとも１種のキラル液晶重合性モノマー又は
ｂ）少なくとも１種のアキラル液晶重合性モノマー及びキラル化合物。
この場合その都度、反応性基を介してポリマー網状構造中に移行されるか又は組込まれうるような成分が特に適当である。
ａ）で挙げたキラル液晶重合性モノマーとしては、特に一般式Ｉ：
0004036897.tif 000006
で示されるようなものが適当であり、ここで置換基は次のものを表わす：
Ｚ１  重合性基又は重合性基を有する基、
Ｙ１、Ｙ２、Ｙ３  化学結合、酸素、硫黄、
−ＣＯ−Ｏ−、−Ｏ−ＣＯ−、−Ｏ−ＣＯ−Ｏ−、
−ＣＯ−Ｎ（Ｒ）−又は−Ｎ（Ｒ）−ＣＯ−、
Ａ１  スペーサー
Ｍ１  中間形成基（mesogene Gruppe）、
Ｘ    ｎ価のキラル基、
Ｒ    水素又はＣ１〜Ｃ４−アルキル、
ｎ    １〜６
この際基Ｚ１、Ｙ１、Ｙ２、Ｙ３、Ａ１及びＭ１は同じか又は異なっていてもよい。
好ましい基Ｚ１は次のものである：
0004036897.tif 000007
ここで基Ｒは同じか又は異なっていてもよくかつ水素、又はＣ１〜Ｃ４−アルキル、例えばメチル、エチル、プロピル、イソプロピル、ｎ−ブチル、イソ−ブチル、ｓ−ブチル又はｔ−ブチルを表わす。反応性の重合性基の中からシアネートは自然に三量化してシアヌレートになりうるので、好ましいものと述べうる。前記の他の基は重合のために補足的反応性基を有する他の化合物を必要とする。すなわち例えばイソシアネートはアルコールと重合してウレタンになり、アミンと重合して尿素誘導体になりうる。同様なことはチイラン及びアジリジンについても該当する。カルボキシル基は縮合されたポリエステル及びポリアミドになりうる。マレインイミド基は特にスチロールのようなオレフィン化合物とのラジカル共重合体のために適している。この場合補足的反応性基は、本発明の第１の化合物と反応される第２の化合物中に存在しうるか、それとも２個以上のこれらの補足的反応性基を有する補助化合物によってポリマー網状構造中に組込まれうる。
Ｙ１〜Ｙ３は初めに挙げたものを表わし。この際化学結合とは共有単結合を意味する。
特に好ましい結合Ｚ１〜Ｙ１はアクリレート及びメタクリレートである。
スペーサーＡ１としては、この目的にとって公知のすべての基が適当である。スペーサーは一般にＣ原子２〜３０個、好ましくは２〜１２個を有しかつ線状の脂肪族基から成る。スペーサーは鎖中で例えばＯ、Ｓ、ＮＨ又はＮＣＨ３によって中断されていてもよく、これらの基は隣接していてはならない。この場合スペーサー連鎖の置換分としては弗素、塩素、臭素、シアン、メチル又はエチルも適当である。
代表的なスペーサーは、例えば
0004036897.tif 000008
であり、ここでｍは１〜３、ｐは１〜１２である。
中間形成基Ｍ１は好ましくは次の構造：
（Ｔ−Ｙ８）ｓ−Ｔ
を有しており、ここでＹ８はＹ１の定義から選択された橋状部分を表わし、ｓは１〜３の数を表わし、Ｔは同じか又は異なる２個のイソ環状脂肪族、ヘテロ環状脂肪族、イソ芳香族又はヘテロ芳香族残基を表わす。
基Ｔはまた、弗素、塩素、臭素、シアン、ヒドロキシ又はニトロによって置換された環系列であってもよい。好ましい基Ｔは以下のとおりである：
0004036897.tif 000009
特に次の中間形成基Ｍ１が好ましい：
0004036897.tif 000010
0004036897.tif 000011
0004036897.tif 000012
一般式Ｉの化合物のキラル基Ｘのうち、なかんずく有効性によって特に、糖、ビナフチル−又はビフェニル誘導体ならびに光学活性グリコール、ジアルユール又はアミノ酸から誘導されるようなものが好ましい。糖の場合には、特にペントース及びヘキソース及びそれらから誘導された誘導体を挙げることができる。
基Ｘの例えば次の構造であり、ここで末端の線はそれぞれ遊離の原子価を表わす。
0004036897.tif 000013
0004036897.tif 000014
0004036897.tif 000015
特に次のものが好ましい：
0004036897.tif 000016
さらにまた、次の構造を有するキラル基も適当である：
0004036897.tif 000017
他の例はヨーロッパ特許出願公開第０７３９４０３号明細書に記載されている。
Ｒは水素の他にメチル、エチル、ｎ−プロピル、イソ−プロピル、ｎ−ブチル、イソ−ブチル、ｓ−ブチル及びｔ−ブチルを表わすことができる。ｎは好ましくは２である。
ｂ）に挙げたアルキル液晶重合性モノマーのうち、コレステリック液晶組成物にとっては、特に一般式II：
Ｚ２−Ｙ４−Ａ２−Ｙ５−Ｍ２−Ｙ６−Ａ３−Ｙ７−Ｚ３  II
で示されるようなものが適当であり、前記式中置換基は次のものを表わす：
Ｚ２、Ｚ３  重合性基又は重合性基を有する基、
Ｙ４、Ｙ５、Ｙ６、Ｙ７  化学結合、酸素、硫黄、
−ＣＯ−Ｏ−、−Ｏ−ＣＯ−、−Ｏ−ＣＯ−Ｏ−、
−ＣＯ−Ｎ（Ｒ）−又は−Ｎ（Ｒ）−ＣＯ−
この場合重合性基、橋状鎖Ｙ４〜Ｙ７、スペーサー及び中間形成基に関しては、一般式Ｉの相応の置換基の場合と同一の好ましい基が該当する。
ｂ）に挙げたコレステリック液晶組成物は、アキラル液晶モノマーの他にキラル化合物を含有する。
好ましいキラル化合物は、式Ｉａ：
0004036897.tif 000018
で示されるようなものであり、式中Ｚ１、Ｙ１、Ｙ２、Ｙ３、Ａ１、Ｘ及びｎは前記のものを表わし、Ｍａは、少なくとも１個のヘテロ−又はイソ環状環系列を有する２価の基である。
この場合分子部分Ｍａは前記の中間形成基に似ている、それというのもこのようにして液晶化合物との極めて良好な適合性が達成されるからである、しかしＭａは実際は中間形成的（mesogen）でなくてもよい、それというのも化合物Ｉａはそのキラル構造によってのみ液晶相の相応のねじれをひき起こす筈だからである。Ｍａ中に含まれている好ましい環系列は、上記の構造Ｔである。
重合性混合物は、２方法で一定の構造の顔料粒子に加工することができる。混合物をくぼみを備えた表面に塗布し、次に重合するか、それとも混合物を平滑な表面に印刷し、次に重合することによって、成形を印刷法によって行う。
後者の場合には、顔料にとって所望の形状及び大きさでインキ塗布を可能にする種々の印刷法が適当である。例えばオフセット印刷、スクリーン印刷、凸版印刷、凹版印刷及びフレキソ印刷が考えられる。この場合、粘度を適当な助剤によって、混合物が流れ去ることなしに印刷可能であるように調整するのが重要である。またコレステリック液晶顔料の場合には、助剤によって液晶構造が損われずかつ表面における液晶の自然配向が可能であるように配慮すべきである。適当な助剤は古いドイツ国特許出願第１９５３２４１９．６号明細書中で記載されている。
この場合平滑な表面とは、製造すべき顔料粒子の大きさ程度のくぼみをもたずかつ吸収性でない表面を意味する。例えばプラスチックシート又は金属薄板が適当である。
くぼみを有する表面への重合性混合物の塗布による顔料粒子の製造のためには、表面としてなかんずくシート、特にプラスチックシートが適当である。それというのもこれらは所望のように容易に構造化されうるからである。構造化、つまりくぼみの形成の方法としては、例えば印刷版製造の公知方法が適当である。
くぼみは、水平な表面上に存在していてもよいが、また好ましくは旋回可能のロールの表面に存在していてもよい。このようにして顔料粒子は連続的方法で製造することができる。顔料粒子を製造するための好ましい方法は、重合性混合物を回転ロール又はロールバンド（Rollband）の表面上に存在するくぼみ中に連続的に導入し、光照射によって重合させ、次に吸引−又はブラッシング
0004036897.tif 000019
装置によってロール又はロールバンドの表面から取出すことを特徴としている。この場合ロールの寸法及びその回転速度を、液状に塗布された重合性混合物が次の吸引−又はブラッシング工程になるまでに十分硬化されているように選択することが出来る。これはもちろんまた、例えば照射強度、照射区間ならびに温度によっても影響される。十分な処理量及び速い重合速度を得るためには、重合を比較的高い温度、例えば３０〜１５０℃、特に５０〜１００℃で行うのがしばしば有利である。しかしまた該方法は他の温度でも行うことができ、この際環境温度が一般には十分適している。
照射源は、重合性基の種類及びあるいは使用される光重合開始剤に依存する。プラスチック工学で使用されうるすべての種類の照射が適当である。
重合性混合物の重合は、照射による以外にまた電子線によるか又は重合性基に応じてまた熱によっても起こりうる。
本発明方法により製造された顔料粒子は、種々の形状及び大きさを有することができる。特に、その色彩効果が干渉作用に基づいている顔料の場合には、薄板状構造が有利である。これらの顔料の場合には、色彩効果は注視角度（Betrachtungswinkel）に依存している。薄板状構状は色層（Farbschicht）における一様な顔料粒子の配置を可能にし、それによって多数の顔料粒子の均一な反射、ひいては均質な色彩効果が生じる。
本発明方法の著しい利点は、同一形状及び大きさを有する薄板状顔料を製造できることである。本発明の顔料、特に干渉顔料は同一形状によって極めてすばらしい色彩効果を発揮する。
本発明の顔料は印刷インキ、分散塗料及びラッカー（Lack）のような被覆剤の発色成分として適当である。このような被覆剤は他の常用添加物を含有することができる。適当な添加物は例えば、本明細書にはっきりと関連している先行のドイツ国特許出願第１９５３２４１９．６号明細書に記載されている。特に本発明の顔料を含有するラッカーは、使用物体、特に乗り物、例えば自動車、オートバイ等の塗装のために適当である。
顔料粒子を製造するための好ましい装置は、
−所望の顔料粒子の形状くぼみを有する表面を有する回転ロール又はロールバンド（Rollband）、
−染料又は干渉着色剤を含有する重合性混合物を、ロール又はロールバンド上に塗布するための装置、
−重合性混合物を光照射するための装置、
−ロール又はロールバンドのくぼみから重合性顔料粒子を取出しかつこれらの顔料粒子を集めるための装置
を包含する。